(57)【要約】      （修正有）【課題】流体を均等磁化できる流体用磁化装置を提供する。【解決手段】一側壁へ流体流入口を設け、他側壁へ流体流出口を設けた中空ケースの中央部へ永久磁石のＮ極とＳ極を平行して対極させて、流体の通過間隙を設け、前記Ｎ極とＳ極をヨークで連結したことを特徴とする流体用磁化装置により、目的を達成した。対向磁極面の間隔を自由に選定できるので、最良の磁化効率を選定することができ、また中空ケースは、磁気シールドを兼ねることが出来るので、磁気の漏洩を防止する効果がある。【選択図】図３
0003145967.tif 000002
【実用新案登録請求の範囲】
【請求項１】
一側壁へ流体流入口を設け、他側壁へ流体流出口を設けた中空ケースの中央部へ永久磁石のＮ極とＳ極を平行して対極させて、流体の通過間隙を設け、前記Ｎ極とＳ極をヨークで連結したことを特徴とする流体用磁化装置。
【請求項２】
一側壁へ流体流入口を設け、他側壁へ流体流出口を設けた中空ケースの中央部へ永久磁石のＮ極とＳ極を平行して対極させて、流体の通過間隙を設け、前記Ｎ極とＳ極をヨークで連結した磁化装置において、Ｎ極とＳ極は、方形ヨークの上下に固定して対極させ、前記枠壁と、Ｎ極とＳ極とヨークとの間隙を非磁性材で閉塞して、流体の流通する方形空隙を形成したことを特徴とする流体用磁化装置。
【請求項３】
一側壁へ流体流入口を設け、他側壁へ流体流出口を設けた中空ケースの中央部へ永久磁石のＮ極とＳ極を平行して対極させて、流体の通過間隙を設け、前記Ｎ極とＳ極をヨークで連結した磁化装置において、流体流入口及び流体流出口と、流体の流通する前記Ｎ極とＳ極の通過間隙との間に、夫々空間を介在させたことを特徴とする流体用磁化装置。
【請求項４】
中空ケースは、方形筒の一側に流体流入口を有する側壁板を固定し、前記方形筒の他側に流体流出口を有する側壁板を固定したことを特徴とする請求項１，２，３の何れか１項記載の流体用磁化装置。
【考案の詳細な説明】
【技術分野】
【０００１】
この考案は、空気又は水その他の流体を磁化する際に使用することを目的とした流体用磁化装置に関する。
【背景技術】
【０００２】
従来空気又は水を磁化する場合には、送気管又は送水管の外側にＮ、Ｓの磁極を対極させ、前記流体を所定の磁場内におくことにより目的を達成している。
【特許文献１】実用新案登録第３０９０９１４号
【考案の開示】
【考案が解決しようとする課題】
【０００３】
従来パイプの中を通過する流体の磁化には、パイプの外側に磁極を対向設置したので、必然的に磁極面の距離が不均等になり、パイプ内を流れる流体（例えば空気）の磁化程度も不均一となり、全磁化強度（平均値）も低下を免れない問題点があった（特許文献１）。
【０００４】
またパイプの外側からの磁化については、パイプの材質（例えば強磁性材は不可）についても制約がある問題点があった。
【０００５】
然して流体の磁化について、永久磁石を使用する場合には、自ら磁力の強さに限度（例えば５０００ガウス）があるので、この強さを有効に作用させなければならないが、前記のようにパイプの外側から磁化する場合の有効磁力は、当然本来の磁力以下になる問題点があった。
【課題を解決するための手段】
【０００６】
この考案は、中空ケース内へＮ極とＳ極を露出して極平面を対向させ、しかも近接設置できるので、磁石本来の強さ以上の磁化力で作用し、その上平行磁界で均等に作用し、送気パイプ（又は送液パイプ）の材質に影響を受けないなど、前記従来の問題点を解決したのである。
【０００７】
即ちこの考案は、一側壁へ流体流入口を設け、他側壁へ流体流出口を設けた中空ケースの中央部へ永久磁石のＮ極とＳ極を平行して対極させて、流体の通過間隙を設け、前記Ｎ極とＳ極をヨークで連結したことを特徴とする流体用磁化装置であり、一側壁へ流体流入口を設け、他側壁へ流体流出口を設けた中空ケースの中央部へ永久磁石のＮ極とＳ極を平行して対極させて、流体の通過間隙を設け、前記Ｎ極とＳ極をヨークで連結した磁化装置において、Ｎ極とＳ極は、方形ヨークの上下に固定して対極させ、前記枠壁と、Ｎ極とＳ極とヨークとの間隙を非磁性材で閉塞して、流体の流通する方形空隙を形成したことを特徴とする流体用磁化装置である。
【０００８】
また、一側壁へ流体流入口を設け、他側壁へ流体流出口を設けた中空ケースの中央部へ永久磁石のＮ極とＳ極を平行して対極させて、流体の通過間隙を設け、前記Ｎ極とＳ極をヨークで連結した磁化装置において、流体流入口及び流体流出口と、流体の流通する前記Ｎ極とＳ極の通過間隙との間に、夫々空間を介在させたことを特徴とする流体用磁化装置であり、中空ケースは、方形筒の一側に流体流入口を有する側壁板を固定し、前記方形筒の他側に流体流出口を有する側壁板を固定したものである。
【０００９】
前記において、Ｎ極とＳ極との位置と面積は自由に選定することができる。また中空ケースの中央部に永久磁石のＮ極とＳ極を対向設置し、ケースとの間隙を非磁性体で閉塞すれば、流入流体は、前記設定した間隙のみを通過させることができる。
【考案の効果】
【００１０】
この考案は、流体の流入口と、流出口を有する中空ケースの中央部へＮ極とＳ極の磁極を対向設置して流体の通過間隙を設けたので、前記流体は、前記磁極の間を流動し、磁化される。この場合に磁極面を平行にしてあるので、流体を均等磁化できる効果がある。
【００１１】
また対向磁極面の間隔を自由に選定できるので、最良の磁化効率を選定し得る効果がある。
【００１２】
更に中空ケースは、磁気シールドを兼ねることが出来るので、磁気の漏洩を未然に防止し得る効果がある。
【考案を実施するための最良の形態】
【００１３】
この考案は、一側壁に流体流入口を有し、他側壁に流体流出口を有する強磁性材製の中空ケースの中央部に所定間隔で永久磁石のＮ極とＳ極の対向面を平行設置し、前記Ｎ極とＳ極の夫々と、前記中空ケースの内壁との間隙部を非磁性材で閉塞して流体用磁化装置を構成した。前記流体は主として空気又は水であるが、他の流体に用いることもできる。
【００１４】
前記Ｎ極とＳ極の対向面は平面とし、平行に対向設置するが、その間隔は適宜（例えば空気磁化の場合は２０ｍｍ）定める。前記のように、磁極面が平面であって、平行の為に通過流体を均等かつ設定強さに磁化することができる。また中空ケースによって磁気遮蔽するので、磁力線が中空ケース外へ洩れるおそれがなく、近接他物に磁気的影響を及ぼすおそれはない。
【実施例１】
【００１５】
鉄板よりなる直方体状の中空ケース１は方形筒１ｃの一側壁１ａの中央部へ流体（例えば空気）流入筒２を設置し、他側壁１ｂの中央部へ流体流出筒３を設置して構成する。前記中空ケース１の中央部へ磁石体９を嵌挿固定する。前記磁石体９は、永久磁石４，５を対向させ、その外側のヨーク６を前記中空ケース１の側壁に夫々固定（ビス１０による）すると共に、前記永久磁石４，５と、ヨーク６との間隙部へウレタン板７，７を充填して閉塞する（図３）。
【００１６】
前記中空ケース１の流体流入筒２と、流体流出筒３を設けた側壁と、前記永久磁石との間には間隙８，８があるが、他側壁にはヨーク６が固着してあるので、間隙はない。前記ヨーク６は、コ状枠６ｂと、コ状枠６ｂを塞ぐ平板６ａとにより構成されている。図中１１はビスである（図２，３）。
【００１７】
従って流入流体は、永久磁石４，５の平行間隙のみを通過して磁化されるので、均等かつ強力に磁化される。
【図面の簡単な説明】
【００１８】
【図１】（ａ）この考案の中空ケースの断面図、（ｂ）同じく一部を破切した正面図。
【図２】同じく実施例の磁石を構成する物の展開図。
【図３】（ａ）同じく磁石体の平面図、（ｂ）同じく正面図。
【符号の説明】
【００１９】
１  中空ケース
２  流体流入筒
３  流体流出筒
４，５  永久磁石
６  ヨーク
７  ウレタン板
８  間隙
【図１】
0003145967.tif 000003
【図２】
0003145967.tif 000004
【図３】
0003145967.tif 000005